【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】  乗物シートの発泡椅子張り部品のための接着クロージャー部品であり、別の接着クロージャー部品の対応する接着要素と結合し、それにより、接着クロージャーを形成する接着要素（１０）を１つの面に有し、各フォーム材料との結合を形成するための接着性媒体としての結合材を接着クロージャー部品の反対面に有するものであり、フッ素を含有する接着性媒体が接着クロージャー材料自体に組み込まれていることを特徴とする接着クロージャー部品。
【請求項２】  接着クロージャー部品がポリオレフィン材料から製造されたものであることを特徴とする、請求項１記載の接着クロージャー部品。
【請求項３】   フッ素が窒素雰囲気内で気体の態様で適用されることを特徴とする、請求項１又は２記載の接着クロージャー部品の製造方法。
【請求項４】  連続操作又は不連続操作によるフッ素の導入が、それぞれ６５０ミリバールにおいて、室温でフッ素濃度３％、又は、４０〜５０℃でフッ素濃度１０％の条件で行われることを特徴とする、請求項３記載の方法。
【請求項５】  減圧チャンバー（１２）内でフッ素‐窒素ガス雰囲気に接着クロージャー部品を暴露することを特徴とする、請求項３又は４記載の方法を実施するための装置。
【請求項６】  装置が吐出ポンプのための連結サイト（１６）、及び、未処理のクロージャー部品又はフッ素処理された接着クロージャー部品のための入口（１８）及び出口（２０）を有することを特徴とする、請求項５記載の装置。
【手続補正２】
【補正対象書類名】明細書
【補正対象項目名】０００１
【補正方法】変更
【補正の内容】
【０００１】
本発明は接着クロージャー部品に関し、より詳細には、乗物シートの発泡椅子張り部品のための接着クロージャー部品に関する。この接着クロージャー部品は、別の接着クロージャー部品の対応する接着要素と結合し、それにより、接着クロージャーを形成するための接着要素を片面に有し、かつ、係合するフォーム材料との結合の形成のための結合材を接着クロージャー部品の反対面に有する。本発明は、また、このような接着クロージャー部品の製造方及びこの方法のための装置にも関する。
【手続補正３】
【補正対象書類名】明細書
【補正対象項目名】０００２
【補正方法】変更
【補正の内容】
【０００２】
一般的態様の接着クロージャー部品はEP０６１２４８５から知られており、接着クロージャー部品の裏面上にあるループ要素の形態の結合材が係合するフォーム材料と接触し、それと強固な結合を形成するように、接着クロージャーは発泡成形型中に配置される。例えば、この欧州特許明細書に記載されるように、接着クロージャー部品の反対のフロント面は結合性のフック、接着性ヘッド、マッシュルーム形状体等の形態の接着要素を有し、それがフォーム材料の侵入から保護されている。接着要素は未架橋の熱可塑性樹脂によってその全表面が覆われている。もし、成形型中での発泡プロセス及び発泡成形品の取り出し後に、覆われたものが除去されると、接着要素は開放され、そして別の接着クロージャー部品の接着要素、例えば、ループストリップの形態の接着要素と結合されることができ、一般的な接着クロージャーが形成される。
【手続補正４】
【補正対象書類名】明細書
【補正対象項目名】０００３
【補正方法】変更
【補正の内容】
【０００３】
このようにして、例えば、椅子張りカバー材料を、乗物シートまたは飛行機シートの発泡椅子張り部品に固定し、または、例えば、ツールレストを有するグラインディングホイールの形態の回転部品を、従来のグラインダー及び装置に結合することができる。上記のフォーム材料は、形成される物品の関係で明らかに薄い液体であり、そして水の粘度以下の粘度を有することがある。ループもしくはヌース様材料を結合材として用いたときまたはおむつ布等を用いたときにも、ヌースは実際に開放されており、フォーム材料によって完全には侵入されておらず、むしろ、フォーム材料の侵入を抑制する１種のバリアを形成する。フォーム材料の次いで行う硬化プロセスまたはベーキングプロセスにおいて、空隙、すなわち、ガス状の中空閉鎖体があり、それがループ状材料とフォームとの間の遷移領域において接着クロージャー部品とフォーム材料との間の強固な結合を妨げるように作用する。接着クロージャー部品とフォーム材料との間のこのような弱くなった結合強度の結果として、特に、連続的な応力による結合の緩みが生じ、そして接着クロージャー部品がフォーム材料から引き裂かれ、それにより、概して、乗物シート又はグライディングディスク保持留め具等の形態の全部品の有用性がなくなることがある。現状技術を基礎として、本発明の目的は、接着クロージャー部品と別個に使用されるフォーム材料との間の信頼できかつ強固な結合を達成することができるように、接着クロージャー部品をさらに改良することである。さらに、本発明の目的は、このような接着クロージャー部品の製造方法及びこの用法を用いるための装置を提供することである。このような目的は請求項１の特徴を有する接着クロージャー部品、請求項３の特徴を有する方法及び請求項５の特徴を有する装置によって達成できる。
【手続補正５】
【補正対象書類名】明細書
【補正対象項目名】０００４
【補正方法】変更
【補正の内容】
【０００４】
請求項１の特徴部分により、接着性媒体がフッ素を含有することによって、このように処理された接着クロージャー部品と各フォーム材料との間に緩くなることの困難な非常に強固な結合が生じ、このようにして、接着クロージャー部品と後のフォーム体との間に信頼できる長期の結合を生じる。
【手続補正６】
【補正対象書類名】明細書
【補正対象項目名】０００５
【補正方法】変更
【補正の内容】
【０００５】
接着クロージャー及びフォーム技術の当業者にとって、気体を含有する接着性媒体を接着クロージャー部品に組み込むことによって、公知のループ布又は通常の接着剤によるよりも一層良好にフォーム材料への結合が達成されることは意外なことである。公知のループ状材料又は通常の接着剤は手間がかかり、従って製造するのに費用がかかり、例えばループ状又はヌース様材料とフォームとの機械的フッキングの代わりに、フォーム材料への接着性は別個に導入される接着性媒体によって、フォーム材料の製造の間に熱及び圧力によって生じ、それにより、所望の結合を有する、より高い強度値となる。
【手続補正７】
【補正対象書類名】明細書
【補正対象項目名】０００６
【補正方法】変更
【補正の内容】
【０００６】
フッ素が導入されるべき接着性媒体として、好ましくはポリオレフィン材料から製造された接着クロージャー部品とともに使用されるならば、ポリオレフィン表面上に結合された水素原子はフッ素原子によって置換される。この置換反応は室温において起こる。出発もしくは初期反応は要求されない。表面上が部分的にフッ素化された炭化水素は接着クロージャー部品の以前のベース材料とは全く異なる挙動を示す。高い負電荷性の結果として、フッ素原子はその外側の電子殻を満たそうとする。これにより、電子は隣接する炭素及び水素原子から引き抜かれる。それ故、誘導された極性が、メインベースとともに、好ましくはポリウレタンフォームから製造されたフォーム材料と良好な付着性を構成するものである。
【手続補正８】
【補正対象書類名】明細書
【補正対象項目名】００１２
【補正方法】変更
【補正の内容】
【００１２】
以下に示す接着クロージャー部品は、乗物シート、特に、乗物シートの発泡椅子張り部品(示していない)のために使用される。ストリップ状又はシート状の接着クロージャー部品は別の接着クロージャー部品の対応する接着要素(示していない)との結合のための接着要素１０を片面上に有しており、それにより、一般的な接着クロージャーを形成する。図面に示されている接着クロージャー部品は、例えば、DE196 46 318A1に示されるように、一般的な方法によって製造される。接着クロージャー部品の反対面又は下側面に、例えば、ポリウレタンの形態の係合するフォーム材料との結合を形成するための結合材が提供され、このフォーム材料は接着クロージャー部品の裏側に導入される。接着クロージャー部品自体はポリオレフィン−プラスティック材料から形成され、ここで、ポリオレフィンは一般に、以下の一般構造のポリマーの包括名称である。
【手続補正９】
【補正対象書類名】明細書
【補正対象項目名】００１４
【補正方法】変更
【補正の内容】
【００１４】
（式中、R1は殆どの場合は水素を表わし、R2は水素、直鎖もしくは枝分かれの飽和の脂肪族もしくは脂環式基を示す。）。しばしば、芳香族基、例えば、フェニル基（R2=C6H5、例えば、ポリスチレン）を有するポリマーもポリオレフィンに数えられる。R1=Hである製品もポリ（α-オレフィン）であり、それはビニルポリマーと考えられる。
【手続補正１０】
【補正対象書類名】明細書
【補正対象項目名】００１５
【補正方法】変更
【補正の内容】
【００１５】
接着クロージャーの分野において非常に産業上重要であるポリオレフィンは、例えば、ポリエチレン、ポリプロピレン、しばしば誤ってポリブチレンとも呼ばれるポリブテン、並びに、ポリイソブテン及びポリ（4−メチル-1-ペンテン）である。高級α-オレフィンのポリマー、例えば、１−ポリヘキサン、１−ポリオクテン又は１−ポリオクタデセンは、しかしながら、現在までこの分野において非常に限定された用途しか有していなかった。種々のオレフィンのコポリマー、例えば、エチレンとプロピレンとのコポリマーもポリオレフィンに含まれる。
【手続補正１１】
【補正対象書類名】明細書
【補正対象項目名】００１６
【補正方法】変更
【補正の内容】
【００１６】
接着性媒体は好ましくはフッ素を含有し、続いて行うフッ素化により接着クロージャー部品に導入される。上記のフッ素はF2として用いられ、それ故、気体として用いられ、好ましくは窒素雰囲気中に用いられる。